(57)【要約】  【課題】  複数の電話回線を使用したファクシミリ通信が可能であると共に、その複数の電話回線を使用して同時に電話機能を行える通信装置を提供する。  【解決手段】  ユーザがオンフックキー５ｂを押下するか、または、第１受話器１４若しくは第２受話器１４をあげることにより、第１電話回線Ｌ１または第２電話回線Ｌ２の空いている電話回線を自動的に捕捉し、ダイヤルキー５ａの操作入力に応じて通話先の電話番号をダイヤルする。極性反転を検出する、または、通話相手からの音声を検出することにより、相手の電話機と接続できたと判断した場合、操作部５における各種のファンクションキーの処理権限を他方の電話回線に切り替える。簡単な構成にて、２回線を使用した電話機能を実現する。【選択図】      図１
2005175529.tif 000002
【特許請求の範囲】
【請求項１】
複数の電話回線夫々を用いて画像データの送受信を行う通信装置において、前記複数の電話回線夫々に対して通話先の電話番号を受け付ける受付手段と、該受付手段で受け付けた電話番号による発呼を行う手段とを備えており、前記複数の電話回線夫々を用いた通話を同時に行うべくなしてあることを特徴とする通信装置。
【請求項２】
前記受付手段は、前記複数の電話回線夫々に共通であることを特徴とする請求項１記載の通信装置。
【発明の詳細な説明】
【技術分野】
【０００１】
本発明は、複数の電話回線に接続可能であって、各電話回線にを用いてる画像データの同時の送受信を行える通信装置に関するものである。
【背景技術】
【０００２】
従来より、複数の電話回線を接続して、各電話回線を介する画像データの同時の送受信処理を可能としている多回線ファクシミリ装置が広く普及している（例えば、特許文献１及び２参照）。このような多回線ファクシミリ装置では、例えば、電話回線を２回線接続している場合、メモリ送信またはメモリ受信機能を利用して、一方の電話回線でファクシミリ送信を行っている間に、他方の電話回線にてファクシミリ受信を行ったり、双方の電話回線を用いて、ファクシミリ送信またはファクシミリ受信を同時に並行して行うことができる。
【特許文献１】特開平５−４８７５５号公報
【特許文献２】特開平８−３１７０８０号公報
【発明の開示】
【発明が解決しようとする課題】
【０００３】
このような多回線ファクシミリ装置では、複数の電話回線の中の１つの電話回線を使用し、付設の受話器を用いて相手先と通話を行う通常の電話機能を行うことも可能である。しかしながら、例えば２回線を収納できる従来の多回線ファクシミリ装置において、両方の電話回線を用いて同時のファクシミリ送受信処理を行うことは可能であったが、１本の電話回線はファクシミリ通信専用であり、同時に両方の電話回線を用いて電話機能を行うことができず、ユーザにとって使用勝手が悪いという問題がある。
【０００４】
本発明は斯かる事情に鑑みてなされたものであり、複数の電話回線を用いて同時に電話機能を行える通信装置を提供することを目的とする。
【０００５】
本発明の他の目的は、簡単な構成により、複数の電話回線を用いた同時の電話機能の実現を果たせる通信装置を提供することにある。
【課題を解決するための手段】
【０００６】
請求項１に係る通信装置は、複数の電話回線夫々を用いて画像データの送受信を行う通信装置において、前記複数の電話回線夫々に対して通話先の電話番号を受け付ける受付手段と、該受付手段で受け付けた電話番号による発呼を行う手段とを備えており、前記複数の電話回線夫々を用いた通話を同時に行うべくなしてあることを特徴とする。
【０００７】
請求項１にあっては、複数の電話回線夫々に対して通話先の電話番号を受付手段にてユーザから受け付け、受け付けた電話番号で相手先の電話機を発呼するようにしており、複数の電話回線の中の一の電話回線による通話処理（電話機能）が実行されている場合であっても、他の電話回線に対する通話先の電話番号の受付け及びその電話番号の発呼が可能であり、複数の電話回線を使用して、同時の電話機能を果たせる。よって、複数のユーザが同時に通話を行える。
【０００８】
請求項２に係る通信装置は、請求項１において、前記受付手段は、前記複数の電話回線夫々に共通であることを特徴とする。
【０００９】
請求項２にあっては、ユーザから通話先の電話番号を受け付ける受付手段を複数の電話回線で共通に使用する。一の電話回線を用いて発呼して通話先と接続できた場合に、受付手段の処理権限を他の電話回線用に切り替えるようにして、共通での使用を実現する。よって、受付手段が一個で済むため、全体の装置構成が小型化する。
【発明の効果】
【００１０】
本発明では、複数の電話回線夫々に対して通話先の電話番号をユーザから受け付け、受け付けた電話番号で相手先の電話機を発呼するようにしているので、複数の電話回線の中の一の電話回線による通話処理（電話機能）が実行されている場合であっても、更に他の電話回線を用いて通話処理（電話機能）を行うことができ、複数の電話回線夫々を使用した同時の電話機能を果たすことができる。この結果、複数のユーザが同時に通話を行うことができて便利となり、ユーザの使用勝手を良くすることができる。
【００１１】
また、本発明では、ユーザから通話先の電話番号を受け付ける受付手段を複数の電話回線で共通に使用できるようにしたので、全体の装置構成を小型化することが可能である。
【発明を実施するための最良の形態】
【００１２】
以下、本発明をその実施の形態を示す図面を参照して具体的に説明する。図１は、本発明の通信装置としてのファクシミリ複合装置２０の構成を示すブロック図である。なお、以下の例では、接続可能な電話回線を２本の電話回線Ｌ１，Ｌ２とする場合について説明する。
【００１３】
ファクシミリ複合装置２０は、制御部１，読取部２，記録部３，表示部４，操作部５，符号化・復号化部６，ＲＯＭ７，ＲＡＭ８，画像メモリ９，第１モデム１０，第１ＮＣＵ（Network Control Unit）１１，第２モデム１２，第２ＮＣＵ１３，第１受話器１４，第２受話器１５，ＰＣインタフェース部１６などを備えている。
【００１４】
ファクシミリ複合装置２０は、読取部２にて原稿を読み取って画像データを得る読取機能、読み取った画像データ、ファクシミリ通信により受信した画像データ、またはＰＣインタフェース部１６を介してＰＣから受信した画像データに応じた画像を記録部３にて記録する記録機能、及び、読み取った画像データまたは受信した画像データをファクシミリ送信する送信機能を併せ持っている。この際、ファクシミリ通信にあっては、２本の電話回線Ｌ１，Ｌ２を用いて同時に画像データの送受信を行えるようになっていると共に、第１受話器１４，第２受話器１５を使用し、２本の電話回線Ｌ１，Ｌ２を用いて同時に通話が行えるようになっている。なお、一方の電話回線をファクシミリ通信に使用して他方の電話回線を通話用に使用することも可能である。
【００１５】
制御部１は、具体的にはＣＰＵで構成されており、バス１７を介してファクシミリ複合装置２０の上述したようなハードウェア各部と接続されていて、それらを制御すると共に、ＲＯＭ７に格納された制御プログラムに従って、種々のソフトウェア的機能を実行する。読取部２は、例えばＣＣＤを利用したスキャナで原稿を読み取り、読み取った画像データを出力する。記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。
【００１６】
表示部４は、液晶表示装置またはＣＲＴディスプレイ等の表示装置であり、ファクシミリ複合装置２０の動作状態（電話回線の使用状態など）を表示したり、ユーザへ操作入力を促す画面を表示したり、送信すべく読み取った原稿の画像データ、他のファクシミリ装置またはＰＣから送信された画像データなどの表示を行う。操作部５は、ファクシミリ複合装置２０を操作するために必要な各種のファンクションキーを備えている。ファンクションキーとして、画像データの送信先または電話機能の通話先をユーザが指定入力するためのダイヤルキー５ａ、ユーザが電話回線を捕捉するためのオンフックキー５ｂなどを有する。また、このダイヤルキー５ａには、電話番号を直接入力するためのテンキー、並びに、簡易に相手先を指定するための短縮ダイヤルキー及びワンタッチダイヤルキーが含まれる。なお、表示部４をタッチパネル方式とすることにより、操作部５の各種のファンクションキーの内の一部または全部を代用することも可能である。
【００１７】
符号化・復号化部６は、画像データを符号化圧縮すると共に、符号化圧縮されている画像データを復号する。ＲＯＭ７は、ファクシミリ複合装置２０の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、原稿を読み取って符号化した画像データ、他のファクシミリ装置またはＰＣから受信して符号化した画像データなどを蓄積する。
【００１８】
第１モデム１０及び第２モデム１２は、バス１７に接続されると共に、同様にバス１７に接続された第１ＮＣＵ１１及び第２ＮＣＵ１３と夫々直接的に接続されている。第１ＮＣＵ１１は、公衆電話回線網（ＰＳＴＮ：Public Switched Telephone Network)との第１電話回線Ｌ１の閉結及び開放の動作を行うハードウェアであり、必要に応じて第１モデム１０をＰＳＴＮと接続する。また、第２ＮＣＵ１３は、ＰＳＴＮとの第２電話回線Ｌ２の閉結及び開放の動作を行うハードウェアであり、必要に応じて第２モデム１２をＰＳＴＮと接続する。そして、ファクシミリ複合装置２０は、ＰＳＴＮにより第１電話回線Ｌ１及び第２電話回線Ｌ２を介して他のファクシミリ装置と接続することが可能であり、通常のファクシミリ通信を同時に２回線で行えるようになっている。また、ファクシミリ複合装置２０は、ＰＳＴＮにより第１電話回線Ｌ１及び第２電話回線Ｌ２を用いて通話先の電話機と接続することが可能であり、通常の通話を同時に２回線で行えるようになっている。更に、一方の電話回線でファクシミリ通信、他方の電話回線で通話を同時に行えるようになっている。
【００１９】
第１受話器１４は、第１電話回線Ｌ１を用いてユーザが通話する場合に使用され、第２受話器１５は、第２電話回線Ｌ２を用いてユーザが通話する場合に使用される。これらの第１受話器１４及び第２受話器１５のオンフック，オフフックは制御部１で検知されるようになっている。
【００２０】
ＰＣインタフェース部１６は、ＬＡＮ等の通信線３０を介して外部のＰＣに接続されており、ＰＣとの間でデータのやりとりを行う。そして、外部のＰＣで作成・編集された各種の画像データが通信線３０を介してファクシミリ複合装置２０（ＰＣインタフェース部１６）へ送信され、送信された画像データに応じた画像がファクシミリ複合装置２０（記録部３）にて用紙にプリントアウトされるようになっている。
【００２１】
このような構成のファクシミリ複合装置２０にあっては、ユーザがオンフックキー５ｂを押下するか、または、第１受話器１４若しくは第２受話器１４をあげることにより、第１電話回線Ｌ１または第２電話回線Ｌ２の空いている電話回線が自動的に捕捉され、ダイヤルキー５ａの操作入力によって、通話先の電話番号がダイヤルされるようになっている。そして、極性反転を検出する、または、通話相手からの音声を検出することにより、相手の電話機と接続できたと判断した場合、操作部５における各種のファンクションキーの処理権限を他方の電話回線に切り替えるようになっている。よって、簡単な構成にて、２回線を使用した電話機能を実現できる。
【００２２】
以下、動作について説明する。図２は、本発明の特徴部分である、第１電話回線Ｌ１及び第２電話回線Ｌ２の２回線を使用する通話制御処理の動作手順を示すフローチャートである。
【００２３】
制御部１は、オンフックキー５ｂが押されたか否かを判断し（ステップＳ１）、押されていない場合（Ｓ１：ＮＯ）、更に、第１受話器１４または第２受話器１５がオフフックになったか否かを判断する（ステップＳ２）。オフフックになっていない場合には（Ｓ２：ＮＯ）、動作がＳ１に戻って、オンフックキー５ｂの押下及び受話器のオフフックの監視を続ける。オンフックキー５ｂが押された場合（Ｓ１：ＹＥＳ）、または、受話器がオフフックとなった場合（Ｓ２：ＹＥＳ）、制御部１は、第１電話回線Ｌ１が未使用であるか否かを判断する（ステップＳ３）。
【００２４】
第１電話回線Ｌ１が未使用である場合（Ｓ３：ＹＥＳ）、制御部１は、第１電話回線Ｌ１を捕捉する（ステップＳ４）。そして、ダイヤルキー５ａの操作入力によって受け付けた通話先の電話番号を発呼し（ステップＳ５）、制御部１は、通話先の電話機と接続できたか否かを、極性反転または通話相手からの音声の検出の有無に基づいて、判断する（ステップＳ６）。接続できない場合には（Ｓ６：ＮＯ）、動作がＳ５に戻って、発呼処理を続ける。通話先の電話機と接続できた場合（Ｓ６：ＹＥＳ）、制御部１は、操作部５の各種のファンクションキーの処理権限を他方の第２電話回線Ｌ２に切り替えて（ステップＳ７）、動作がＳ１に戻る。
【００２５】
一方、第１電話回線Ｌ１が使用中である場合（Ｓ３：ＮＯ）、制御部１は、第２電話回線Ｌ２が未使用であるか否かを判断する（ステップＳ８）。第２電話回線Ｌ２が使用中である場合には（Ｓ８：ＮＯ）、動作が終了する。第２電話回線Ｌ２が未使用である場合（Ｓ８：ＹＥＳ）、制御部１は、第２電話回線Ｌ２を捕捉する（ステップＳ９）。そして、ダイヤルキー５ａの操作入力によって受け付けた通話先の電話番号を発呼し（ステップＳ１０）、制御部１は、通話先の電話機と接続できたか否かを、極性反転または通話相手からの音声の検出の有無に基づいて、判断する（ステップＳ１１）。接続できない場合には（Ｓ１１：ＮＯ）、動作がＳ１０に戻って、発呼処理を続ける。通話先の電話機と接続できた場合（Ｓ１１：ＹＥＳ）、制御部１は、操作部５の各種のファンクションキーの処理権限を他方の第１電話回線Ｌ１に切り替えて（ステップＳ１２）、動作がＳ１に戻る。
【００２６】
以上のようにして、本発明のファクシミリ複合装置２０において、第１電話回線Ｌ１，第２電話回線Ｌ２を使用した通話処理を行うことができ、また、両電話回線Ｌ１及びＬ２を同時に使用した通話機能を果たすことが可能である。
【００２７】
なお、上述した例では、２本の電話回線と接続される場合について説明したが、３本以上の電話回線と接続される場合も複数回線での同時の通話機能を同様に行えることは勿論である。また、上述した実施の形態ではファクシミリ複合装置を例として説明したが、複数回線を使用してファクシミリ通信（画像データの送受信）を行う全ての通信装置に本発明を適用できることは言うまでもない。
【図面の簡単な説明】
【００２８】
【図１】本発明のファクシミリ複合装置（通信装置）の構成を示すブロック図である。
【図２】本発明のファクシミリ複合装置（記録装置）における２本の電話回線を使用した通話制御処理の動作手順を示すフローチャートである。
【符号の説明】
【００２９】
１  制御部
５  操作部
５ａ  ダイヤルキー
５ｂ  オンフックキー
７  ＲＯＭ
１０  第１モデム
１１  第１ＮＣＵ
１２  第２モデム
１３  第２ＮＣＵ
１４  第１受話器
１５  第２受話器
ＬＩ  第１電話回線
Ｌ２  第２電話回線
【図１】
2005175529.tif 000003
【図２】
2005175529.tif 000004